(57)【要約】【課題】格納蓋と集塵部蓋の係止手段を、安価かつ部品点数を少なく構成した電気掃除機を提供することを目的とする。【解決手段】吸引した塵埃を捕集し開口を有する集塵部４と、前記集塵部４の開口を密閉する壁体１０を有する開閉自在な集塵部蓋５と、前記集塵部蓋５を覆う開閉自在な格納蓋８とを備え、前記格納蓋８と前記集塵部蓋５との係止手段（１４、１７）を前記壁体１０の外方に設けたもので、係止手段（１４、１７）を容易に且つ安価に金型を製作することができ、部品点数を削減することができる。【選択図】図１
2005204689.tif 000002
【特許請求の範囲】
【請求項１】
吸引風を発する電動送風機と、前記電動送風機が吸引した塵埃を捕集し開口を有する集塵部と、前記集塵部の開口を密閉する壁体を有する開閉自在な集塵部蓋と、前記集塵部蓋を覆う開閉自在な格納蓋とを備え、前記格納蓋と前記集塵部蓋との係止手段を前記壁体の外方に設けた電気掃除機。
【請求項２】
係止手段は、格納蓋に設けた係止部と前記係止部と係合し集塵部蓋に設けられた被係止部とから構成され、前記被係止部を開口形状で形成した請求項１記載の電気掃除機。
【請求項３】
係止部の先端を爪状に形成した請求項２記載の電気掃除機。
【請求項４】
係止部を構成する壁にリブ体を形成した請求項２または３記載の電気掃除機。
【請求項５】
格納蓋を可視性を有する材料で形成した請求項１〜４のいずれか１項に記載の電気掃除機。
【請求項６】
集塵部蓋の開閉時に操作する操作部を、格納蓋の開閉時に操作する操作部より内方に形成した請求項１〜５のいずれか１項に記載の電気掃除機。
【請求項７】
電動送風機と集塵部とを有する掃除機本体を備え、集塵部蓋が開いた状態では、集塵部蓋を前記掃除機本体から取り外すことができず、集塵部蓋が略閉じた状態のときのみ、取り外し可能に構成した請求項１〜６のいずれか１項に記載の電気掃除機。
【請求項８】
掃除機本体に集塵部蓋を回動自在に軸支する軸穴部を備え、前記軸穴部近傍には前記集塵部蓋の回動軸方向に対し略直角方向に、前記集塵部蓋の取り外しを規制する規制部を設けた請求項７記載の電気掃除機。
【請求項９】
電動送風機と集塵部とを有する掃除機本体を備え、使用者が持ち運び時に握る把手部を、前記掃除機本体の前後方向に対し略直角方向に前記掃除機本体に設けるとともに、前記把手部は、集塵部蓋を全開させたとき、前記集塵部蓋の略下方に位置する構成とした請求項１〜８のいずれか１項に記載の電気掃除機。
【発明の詳細な説明】
【技術分野】
【０００１】
本発明は一般家庭で使用される電気掃除機に関するものである。
【背景技術】
【０００２】
従来の電気掃除機を、図８を用いて説明する。
【０００３】
掃除機本体５１は電動送風機５２を内蔵する電動送風機室５３とその前方に配設した集塵室５４で構成されている。掃除機本体５１には、集塵室５４を覆い回動自在に軸支された集塵部蓋５５が設けられ、その上方に隙間ノズルや棚ノズル等のアタッチメントを収納する格納室５６が形成されており、前記格納室５６を覆う格納蓋５７が開閉自在に設けられている。また、格納蓋５７を開閉させる為の操作部５８が掃除機本体５１の格納室５６前方に設けられている。
【０００４】
また、格納蓋５７には係止部５９がバネ６０で付勢された被係止部６１と係合するよう構成されている。
【０００５】
以上のように構成された電気掃除機の動作を説明する。
【０００６】
使用者が、隙間ノズルや棚ノズル等のアタッチメントを使用する場合、掃除機本体５１に設けられた操作部５８を押すことにより格納蓋５７を開けて、アタッチメントを取り出して使用していた（例えば、特許文献１参照）。
【特許文献１】特開昭６１−９４６１９号公報
【発明の開示】
【発明が解決しようとする課題】
【０００７】
しかしながら、前記従来の構成では、格納蓋と集塵部蓋の係合部は、集塵室の真上に位置しているので、集塵部蓋に開口等を形成すると空気もれが生じるため、集塵部蓋に開口等を形成することは困難であり、そのため、格納蓋に設けられた係止部を係合させる被係止部を集塵部蓋に形成しようとすると、格納室内からスライドコア金型により形成するか、或いは、別部品を用いて構成しなければならない為、金型の製作が困難になってしまうとともに部品点数が増えてしまうという課題を有していた。
【０００８】
本発明は上記課題を解決するもので、格納蓋と集塵部蓋との係止手段を、安価かつ部品点数を少なく構成した電気掃除機を提供することを目的とする。
【課題を解決するための手段】
【０００９】
前記記従来の課題を解決するために本発明の電気掃除機は、吸引風を発する電動送風機と、前記電動送風機が吸引した塵埃を捕集し開口を有する集塵部と、前記集塵部の開口を密閉する壁体を有する開閉自在な集塵部蓋と、前記集塵部蓋を覆う開閉自在な格納蓋とを備え、前記格納蓋と前記集塵部蓋との係止手段を前記壁体の外方に設けたもので、係止手段を容易に且つ安価に金型を製作することができ、部品点数を削減することができる。
【発明の効果】
【００１０】
本発明の電気掃除機は、格納蓋と集塵部蓋との係止手段を、安価かつ部品点数を少なく構成した電気掃除機を提供できる。
【発明を実施するための最良の形態】
【００１１】
第１の発明は、吸引風を発する電動送風機と、前記電動送風機が吸引した塵埃を捕集し開口を有する集塵部と、前記集塵部の開口を密閉する壁体を有する開閉自在な集塵部蓋と、前記集塵部蓋を覆う開閉自在な格納蓋とを備え、前記格納蓋と前記集塵部蓋との係止手段を前記壁体の外方に設けたもので、係止手段を容易に且つ安価に金型を製作することができ、部品点数を削減することができる。
【００１２】
第２の発明は、係止手段は、格納蓋に設けた係止部と前記係止部と係合し集塵部蓋に設けられた被係止部とから構成され、前記被係止部を開口形状で形成したもので、被係止部を金型の食いきり構造で形成できるので、容易に且つ安価に金型を製作することができ、部品点数を削減することができる。
【００１３】
第３の発明は、係止部の先端を爪状に形成したもので、格納蓋の開閉時、爪部の傾斜面が被係止部を滑りながら係合するので、スムーズに開閉することができ、格納蓋の操作性を向上させることができる。
【００１４】
第４の発明は、係止部を構成する壁にリブ体を形成したもので、係止部の剛性が向上するので、何らかの力が異常に加わったとしても容易に破損するのを防止することができる。
【００１５】
第５の発明は、格納蓋を可視性を有する材料で形成したもので、係止部の位置及び集塵部蓋の開閉操作部をはっきり目視できるので、格納蓋を閉じる時、押すべき位置が容易に判り、又、集塵部蓋の開閉を容易に行うことができる。
【００１６】
第６の発明は、集塵部蓋の開閉時に操作する操作部を、格納蓋の開閉時に操作する操作部より内方に形成したもので、外観性を損なうことなく操作性を向上させることができる。
【００１７】
第７及び８の発明は、電動送風機と集塵部とを有する掃除機本体を備え、集塵部蓋が開いた状態では、集塵部蓋を前記掃除機本体から取り外すことができず、集塵部蓋が略閉じた状態のときのみ、取り外し可能に構成した、具体的には、掃除機本体に集塵部蓋を回動自在に軸支する軸穴部を備え、前記軸穴部近傍には前記集塵部蓋の回動軸方向に対し略直角方向に、前記集塵部蓋の取り外しを規制する規制部を設けたもので、集塵部蓋が開いた状態で集塵部蓋を外そうとしても、集塵部蓋に設けたリブが規制部に当接するので、集塵部蓋を掃除機本体から取り外すことができず、一方、ほぼ閉じた状態では、集塵部蓋に設けたリブは前記規制部に当接しないので、取り外すことができ、その結果、容易に組み立てることができるとともに、集塵部蓋の外れ防止ができる。
【００１８】
第９の発明は、電動送風機と集塵部とを有する掃除機本体を備え、使用者が持ち運び時に握る把手部を、前記掃除機本体の前後方向に対し略直角方向に前記掃除機本体に設けるとともに、前記把手部は、集塵部蓋を全開させたとき、前記集塵部蓋の略下方に位置する構成としたもので、集塵部蓋が開いたまま把手部を握ることができないので、集塵部蓋を開けたままの持ち運びを防止し、集塵部内の塵埃が溢れるのを防止することができる。
【００１９】
以下、本発明の実施の形態について、図面を参照しながら説明する。なお、この実施の形態によりこの発明が限定されるものではない。
【００２０】
（実施の形態１）
本発明の第１の実施の形態について、図１〜図７を用いて説明する。
【００２１】
掃除機本体１は、上ケース２と下ケース３からなり、吸引風を発する電動送風機（図示せず）と、前記電動送風機が吸引した塵埃を捕集し開口を有する集塵部４と、前記集塵部４の開口を覆い回動自在に上ケース２に軸支した集塵部蓋５と、前記集塵部蓋５の上面にアタッチメント６を収納する格納室７を設け、前記格納室７を覆いかつ開閉自在に設けられた格納蓋８を形成し、その後方に使用者が持ち運び時に握る把手部９を掃除機本体１の前後方向に対し横向きに設けている。
【００２２】
集塵部４は、集塵部蓋５に形成された壁体ａ１０と下ケース３に形成された壁体ｂ１１とに囲まれて構成されており、前記壁体ｂ１１にはエラストマー等の軟性材で成型されたバンパー１２を備え、集塵部蓋５を閉じた時に前記壁体ａ１０と圧接するように設け、集塵部４を密閉している。
【００２３】
また、格納蓋８は、可視性を有する材料によって形成されており、前方に開閉操作を行うための操作部ａ１３と、その後方に集塵部蓋５と係合する係止部１４が先端を爪状に形成されるとともに、操作部ａ１３側にリブ体１５が形成されている。
【００２４】
集塵部蓋５は、前方に開閉操作を行うための操作部ｂ１６を、格納蓋８に設けた操作部ａ１３の奥側へ設けるとともに、前記係止部１４と係合する被係止部１７を集塵部４の外側に食いきり孔で形成している。
【００２５】
また、集塵部蓋５の回動軸１８近傍には、集塵部蓋５の開閉角度を規制する規制体１９を上ケース２に形成し、集塵部蓋５の全開時に前記規制体１９に当接させる被規制体２０を集塵部蓋５に形成している。
【００２６】
さらに、前記規制体１９には、集塵部蓋５の回動軸１８方向に対し、略直角方向に規制リブ２１を形成し、被規制体２０には、回動軸１８方向における前記規制リブ２１との距離を回動軸１８の突出寸法より短くし、前記規制リブ２１と平行に形成した被規制リブ２２を設けている。
【００２７】
把手部９は、集塵部蓋５を開いた時、集塵部蓋５のほぼ真下（下方）に位置するように設けられている。
【００２８】
以上のように構成された電気掃除機について、以下その動作、作用を説明する。
【００２９】
まず、被係止部１７を集塵部４の外方に設けている為、食いきり孔で形成することができ、金型の食いきり構造で形成できるので、容易に且つ安価に金型を製作することができ、部品点数を削減することができる。
【００３０】
また、格納蓋８の開閉時、係止部１４の爪部の傾斜面が被係止部１７を滑りながら係合するので、スムーズに開閉することができ、格納蓋８の操作性を向上させることができる。
【００３１】
さらに、係止部１４には、リブ体１５が形成されているので、係止部１４の剛性が向上し、何らかの力が異常に加わったとしても容易に破損するのを防止することができる。
【００３２】
格納蓋８を可視性を有する材料で形成することにより、係止部１４の位置及び集塵部蓋５の開閉操作部をはっきり目視できるので、格納蓋８を閉じる時、押すべき位置が容易に判り、又、集塵部蓋５の開閉を容易に行うことができる。
【００３３】
また、集塵部蓋５の開閉時に操作する操作部ｂ１６を、格納蓋８の開閉時に操作する操作部ａ１３の内方に構成することにより、外観性を損なうことなく操作性を向上させることができる。
【００３４】
集塵部蓋５が開いた状態で集塵部蓋５を外そうとしても、回動軸１８が上ケース２から外れる前に、集塵部蓋５に設けた被規制リブ２２が規制リブ２１に当接するので、集塵部蓋５を掃除機本体１から取り外すことができず、ほぼ閉じた状態では集塵部蓋５に設けた被規制リブ２２は、規制リブ２１に当接しないので取り外すことができ、容易に組み立てることができるとともに、集塵部蓋５の外れ防止ができる。
【００３５】
さらに、把手部９が、集塵部蓋５を開いた時、集塵部蓋５のほぼ真下に位置するように設けられている為、集塵部蓋５が開いたまま把手部９を握ることができないので、集塵部蓋５を開けたままの持ち運びを防止し、集塵部４内の塵埃が溢れるのを防止することができる。
【００３６】
なお、本発明の形態では、格納蓋８を透明な一部品で形成しているが、部分的に透明にしたり、複数の部品により格納蓋を構成しても、同じ効果が得られるのは言うまでもない。
【００３７】
また、格納蓋８に爪部、集塵部蓋５に開口部を設けているが、格納蓋８に開口部を、集塵部蓋５に爪部を設けても、同じ効果が得られるのは言うまでもない。
【産業上の利用可能性】
【００３８】
以上のように、本発明にかかる電気掃除機は、容易に且つ安価に金型を製作するとともに部品点数を削減することが可能となるので、掃除機本体にアタッチメントを収納することができる電気掃除機などに極めて有用なものである。
【図面の簡単な説明】
【００３９】
【図１】本発明の実施の形態１における電気掃除機の要部中央断面図
【図２】同電気掃除機の格納蓋が開いた状態を示す全体斜視図
【図３】同電気掃除機の集塵部蓋の全体斜視図
【図４】同電気掃除機の格納蓋の全体斜視図
【図５】同電気掃除機の集塵部蓋が開いた状態を示す全体斜視図
【図６】同電気掃除機の集塵部蓋が開いた状態を示す要部斜視図
【図７】同電気掃除機の集塵部蓋がほぼ閉じた状態を示す要部断面図
【図８】従来の電気掃除機の中央断面図
【符号の説明】
【００４０】
１  掃除機本体
４  集塵部
５  集塵部蓋
６  アタッチメント
７  格納室
８  格納蓋
９  把手部
１０  壁体ａ
１３  操作部ａ
１４  係止部
１５  リブ体
１６  操作部ｂ
１７  被係止部
２１  規制リブ
【図１】
2005204689.tif 000003
【図２】
2005204689.tif 000004
【図３】
2005204689.tif 000005
【図４】
2005204689.tif 000006
【図５】
2005204689.tif 000007
【図６】
2005204689.tif 000008
【図７】
2005204689.tif 000009
【図８】
2005204689.tif 000010